(57)【特許請求の範囲】
【請求項１】
水面を浮遊する作業本船（Ｓ）と、この作業本船（Ｓ）を前後左右に推進し得る推進手段（１〜３）と、前記作業本船（Ｓ）と共に水面を移動可能な浚渫土砂貯溜手段（Ｂ）と、前記作業本船（Ｓ）に昇降可能に支持され該作業本船（Ｓ）の前進移動に応じて水底（Ｌ）に沿って所望の一定レベルで前進移動して水底（Ｌ）を均しつつ水底（Ｌ）の堆積土砂を連続的に掻き集める均し兼掻き集め装置（Ａ）と、この均し兼掻き集め装置（Ａ）で掻き集められた堆積土砂を前記浚渫土砂貯溜手段（Ｂ）まで連続的に圧送する圧送手段（Ｔ）とを少なくとも備えた、水底の堆積土砂に対する浚渫システムであって、
前記均し兼掻き集め装置（Ａ）が、前記作業本船（Ｓ）に昇降可能に支持され該作業本船（Ｓ）の前進移動に応じて前記所望の一定レベルで移動可能な移動支持体（４）と、この移動支持体（４）に装着され入口部（５ｉ）が前記作業本船（Ｓ）の前方を向く土砂収集筒（５）と、この土砂収集筒（５）の入口部（５ｉ）の左右に連設されて前記堆積土砂を均しながら該入口部（５ｉ）にその左右から掻き集めて誘導案内する左右一対の排土板（６，６）とを備えており、
前記圧送手段（Ｔ）が、前記作業本船（Ｓ）にそれと共に前進し得るように支持されて前記土砂収集筒（５）の出口部（５ｏ）に吸込部（Ｃｉ）が接続されるスクリューコンベア（Ｃ）と、このスクリューコンベア（Ｃ）の吐出部（Ｃｏ）と前記浚渫土砂貯溜手段（Ｂ）との間を接続する可撓性のチューブ（９）とを備えており、
前記移動支持体（４）が、前記作業本船（Ｓ）に基端部を上下揺動可能に軸支した揺動枠（８）の先端部に回動可能にピボット連結され、
その揺動枠（８）の先部と、前記スクリューコンベア（Ｃ）とが前記作業本船（Ｓ）から別々の懸吊手段（Ｗ１，Ｗ２）で昇降可能に懸吊されることを特徴とする、水底の堆積土砂に対する浚渫システム。
【請求項２】
前記左右一対の排土板（６，６）は、前記土砂収集筒（５）に該排土板（６，６）の長手方向に沿う水平軸線回りに回動可能に連結され、その各排土板（６）には、これの前記水平軸線回りの回動位置を可変調節可能な位置調節手段（７）が接続されることを特徴とする、請求項１に記載の水底の堆積土砂に対する浚渫システム。
【請求項３】
前記チューブ（９）の上流端寄りの中間部には、該チューブ（９）内に空気を吹込む空気吹込み手段（１１）が設けられることを特徴とする、請求項１又は２に記載の水底の堆積土砂に対する浚渫システム。
【請求項４】
前記土砂収集筒（５）と、前記スクリューコンベア（Ｃ）とが、前記作業本船（Ｓ）の前後方向に略沿って互いに縦列配置されると共に、その相互間が可撓性を有する接続スリーブ（Ｊ）を介して結合されることを特徴とする、請求項１〜３の何れか１項に記載の水底の堆積土砂に対する浚渫システム。
【発明の詳細な説明】
【技術分野】
【０００１】
本発明は、海や湖等の水底の堆積土砂に対する浚渫システムに関する。
【背景技術】
【０００２】
海や湖等の水底の堆積土砂を浚渫するに当たり、作業本船上のクレーンで昇降可能に懸吊、支持されたグラブで水底の堆積土砂を直接掴み、これをそのまま作業本船上又はその近辺の土運搬船まで持ち上げるようにした浚渫システムが、例えば下記特許文献１に示されるように従来公知である。
【特許文献１】特許第２５８１９６４号公報  また作業本船上に大型ポンプを搭載し、このポンプの吸込側に連なる土砂吸引管の自由端側を水中で昇降し得るようにクレーンで懸吊、支持し、この土砂吸引管の自由端、即ち吸込口を水底の堆積土砂に押し当てて、これをそのまま作業本船上又はその近辺の土運搬船まで吸い上げるようにした浚渫システムも従来公知である。
【発明の開示】
【発明が解決しようとする課題】
【０００３】
従来では、浚渫のために大型のポンプやグラブが必要であり、従って、作業本船の推進に要する動力に加えて、これらポンプ等を駆動するために比較的大きな動力を必要とするために、作業本船に大型の動力源を設置しなければならず、それだけ設備コストが嵩むと共に、運転（エネルギ）コストも嵩む等の問題があった。
【０００４】
また上記従来の浚渫システムでは、浚渫後の水底面に少なからず凹凸ができてしまい、この凹凸の存在に特別に考慮して、浚渫時に設定される計画レベルよりも深く（即ち必要以上に）深く浚渫しなければならなかった。
【０００５】
さらにグラブを用いた上記従来の浚渫システムでは、浚渫時にグラブで水底を堀り起こすことで周辺水域の土砂拡散、汚濁が少なからず発生し、一方、ポンプを用いた上記従来の浚渫システムでは、浚渫時に水底の固くなった堆積土砂をポンプ吸引し易くするために高圧水を堆積土砂に噴射させる等することで、これまた周辺水域の土砂拡散、汚濁が少なからず発生していた。
【０００６】
本発明は、前述の諸事情に鑑みてなされたもので、従来の上記問題を簡単な構造で一挙に解決できるようにした新規有用な水底の堆積土砂に対する浚渫システムを提供することを目的とする。
【課題を解決するための手段】
【０００７】
上記目的を達成するために請求項１の発明は、水面を浮遊する作業本船と、この作業本船を前後左右に推進し得る推進手段と、前記作業本船と共に水面を移動可能な浚渫土砂貯溜手段と、前記作業本船に昇降可能に支持され該作業本船の前進移動に応じて水底に沿って所望の一定レベルで前進移動して水底を均しつつ水底の堆積土砂を連続的に掻き集める均し兼掻き集め装置と、この均し兼掻き集め装置で掻き集められた堆積土砂を前記浚渫土砂貯溜手段まで連続的に圧送する圧送手段とを少なくとも備えた、水底の堆積土砂に対する浚渫システムであって、前記均し兼掻き集め装置が、前記作業本船に昇降可能に支持され該作業本船の前進移動に応じて前記所望の一定レベルで移動可能な移動支持体と、この移動支持体に装着され入口部が前記作業本船の前方を向く土砂収集筒と、この土砂収集筒の入口部の左右に連設されて前記堆積土砂を均しながら該入口部にその左右から掻き集めて誘導案内する左右一対の排土板とを備えており、前記圧送手段が、前記作業本船にそれと共に前進し得るように支持されて前記土砂収集筒の出口部に吸込部が接続されるスクリューコンベアと、このスクリューコンベアの吐出部と前記浚渫土砂貯溜手段との間を接続する可撓性のチューブとを備えており、前記移動支持体が、前記作業本船に基端部を上下揺動可能に軸支した揺動枠の先端部に回動可能にピボット連結され、その揺動枠の先部と、前記スクリューコンベアとが前記作業本船から別々の懸吊手段で昇降可能に懸吊されることを特徴とする。
【０００８】
また請求項２の発明は、前記請求項１の発明の特徴に加えて、前記左右一対の排土板は、前記土砂収集筒に該排土板の長手方向に沿う水平軸線回りに回動可能に連結され、その各排土板には、これの前記水平軸線回りの回動位置を可変調節可能な位置調節手段が接続されることを特徴とする。
【０００９】
また請求項３の発明は、前記請求項１又は２の発明の特徴に加えて、前記チューブの上流端寄りの中間部には、該チューブ内に空気を吹込む空気吹込み手段が設けられることを特徴とする。
【００１０】
また請求項４の発明は、前記請求項１〜３の何れかの発明の特徴に加えて、前記土砂収集筒と、前記スクリューコンベアとが、前記作業本船の前後方向に略沿って互いに縦列配置されると共に、その相互間が可撓性を有する接続スリーブを介して結合されることを特徴とする。
【発明の効果】
【００１１】
以上のように本発明によれば、前後左右に推進可能な作業本船に、該作業本船の前進移動に応じて水底に沿って所望の一定レベルで前進移動して水底を均しつつ水底の堆積土砂を連続的に掻き集める均し兼掻き集め装置が昇降可能に支持され、この均し兼掻き集め装置で掻き集められた堆積土砂を、作業本船と一緒に水面を移動可能な浚渫土砂貯溜手段まで圧送手段で連続的に圧送するようにしたので、作業本船に追従前進する均し兼掻き集め装置により、水底の堆積土砂を均しながら掻き集めて水面上の浚渫土砂貯溜手段まで連続的に圧送でき、従って、従来の浚渫で必要とした大型のポンプやグラブが不要となり、これらを駆動するための大型の動力源も不要となって設備コストや運転コストの節減に寄与することができる。しかも浚渫後の水底面が略平坦に均されて、従来のような浚渫後の水底面の凹凸が殆ど無くなるため、浚渫を計画レベル通りに無駄なく行うことが可能となり、従来のように上記凹凸に考慮して必要以上に深く浚渫する必要は無くなる。また浚渫に際して水底の堆積土砂が攪拌されることが極力回避できるため、周辺水域の土砂拡散、汚濁を効果的に抑えることができる。
【００１２】
また前記均し兼掻き集め装置は、作業本船に昇降可能に支持され該作業本船の前進移動に応じて所望の一定レベルで移動可能な移動支持体と、この移動支持体に装着され入口部が作業本船の前方を向く土砂収集筒と、この土砂収集筒の入口部の左右に連設されて堆積土砂を均しながら該入口部にその左右から掻き集めて誘導案内する左右一対の排土板とを備えるので、作業本船の前進に応じて左右一対の排土板が中央の土砂収集筒入口部にその左右から堆積土砂を比較的広範囲に亘りスムーズ且つ効率よく掻き集めることができ、従って、作業効率が高められると共に、浚渫時の周辺水域の土砂拡散、汚濁を一層効果的に抑えることができる。また、前記圧送手段は、作業本船にそれと一緒に前進し得るように支持されて土砂収集筒の出口部に吸込部が接続されるスクリューコンベアと、このスクリューコンベアの吐出部と浚渫土砂貯溜手段との間を接続する可撓性のチューブとを備えるので、作業本船の推進力と左右の排土板の案内誘導作用とで土砂収集筒内に押し込まれた堆積土砂を、スクリューコンベアで水面上の浚渫土砂貯溜手段まで無理なく連続的に圧送可能となる。その上、前記移動支持体は、作業本船に基端部を上下揺動可能に軸支した揺動枠の先端部に回動可能にピボット連結され、その揺動枠の先部と、スクリューコンベアとが作業本船から別々の懸吊手段で昇降可能に懸吊されるので、揺動枠の揺動角度に関係なく移動支持体、従って土砂収集筒や左右の排土板を常に適正姿勢に保持することができ、しかもこの揺動枠の先部とスクリューコンベアとを作業本船より別々に昇降位置調整できるようにしたことで、土砂収集筒や左右の排土板のレベル調整を無理なく的確に行うことができる。
【００１３】
また特に請求項２の発明によれば、前記左右一対の排土板は、土砂収集筒に該排土板の長手方向に沿う水平軸線回りに回動可能に連結され、その各排土板には、これの前記水平軸線回りの回動位置を可変調節可能な位置調節手段が接続されるので、上記回動位置の調節により、堆積土砂の硬度や密度に応じて各排土板の堆積土砂に対する食い込み角度を任意に調整可能となり、従って、堆積土砂の硬度や密度に関係なく各排土板に常に効率の高い最適の土砂掻き集め機能を発揮させることができる。
【００１４】
また特に請求項３の発明によれば、前記チューブの上流端寄りの中間部には、該チューブ内に空気を吹込む空気吹込み手段が設けられるので、そのチューブ内に吹き込まれた空気のチューブ内上昇流によりスクリューコンベアによる土砂圧送負荷を軽減して、圧送性能向上に寄与することができる。
【００１５】
また特に請求項４の発明によれば、土砂収集筒と、スクリューコンベアとが、作業本船の前後方向に略沿って互いに縦列配置されると共に、その相互間が可撓性を有する接続スリーブを介して結合されるので、土砂収集筒とスクリューコンベアとを相互に大きく屈曲させることなく滑らかに接続できてその間の流動抵抗軽減に寄与することができ、しかも浚渫時に土砂収集筒に作用する衝撃や振動がスクリューコンベアに直接伝達されるのを極力抑えてスクリューコンベアの耐久性向上が図られる。
【発明を実施するための最良の形態】
【００１６】
本発明の実施の形態を、添付図面に例示した本発明の実施例に基づいて以下に具体的に説明する。
【００１７】
添付図面において、図１〜図６は、本発明の一実施例を示すものであって、図１は、浚渫作業本船の全体平面図、図２は、浚渫作業の概要を示す浚渫システムの全体縦断面図（図１の２矢視図）、図３は、図２の３矢視部拡大図、図４は、図３の４矢視部拡大平面図、図５は、図４の５−５線に沿う拡大断面図、図６は均し兼掻き集め装置の要部拡大斜視図である。
【００１８】
図１において、本実施例に係る浚渫システムは、海又は湖等の水面を浮遊する作業本船Ｓと、この作業本船Ｓを前後左右に推進し得る推進手段１〜３と、作業本船Ｓと一緒に水面を移動可能な浚渫土砂貯溜手段Ａと、作業本船Ｓに昇降可能に支持され該作業本船Ｓの前進移動に応じて水底Ｌに沿って（即ち水底Ｌを這うように）所望の一定レベルで前進移動して水底Ｌを均しつつ水底Ｌの堆積土砂を連続的に掻き集める均し兼掻き集め装置Ａと、この均し兼掻き集め装置Ａで掻き集められた堆積土砂を浚渫土砂貯溜手段Ｂまで連続的に圧送する圧送手段Ｔとを備えている。
【００１９】
前記作業本船Ｓは、図示例では平面視で方形状の台船より構成される。この作業本船Ｓの後部には、前記浚渫土砂貯溜手段としての土運搬船Ｂの前半部が進入・退出可能な切欠き状の第１凹部Ｓａが設けられ、また同作業本船Ｓの前部には、該船Ｓの前後方向位置を微調整可能として該船Ｓを前後駆動し得る前後位置微調整用の補助タグボート１が進入・退出可能な切欠状の第２凹部Ｓｂが設けられる。この土運搬船Ｂの後部には、該土運搬船Ｂを介して作業本船Ｓを前後方向に駆動し得る主タグボート２が進入・退出可能な切欠き状の第３凹部Ｂａが設けられる。さらに作業本船Ｓの左右両側部には、該船Ｓの左右方向位置を微調整可能として該船Ｓを左右駆動し得る左右一対のサイドスラスタ（推進機）３が設置される。而して、前記各タグボート１，２並びに左右のサイドスラスタ３は、互いに協働して作業本船Ｓを前後左右の任意の位置まで推進し得るものであって、本発明の推進手段を構成する。
【００２０】
前記均し兼掻き集め装置Ａは、作業本船Ｓに昇降可能に支持され該作業本船Ｓの前進移動に応じて所望の一定レベルで移動可能な移動支持体４と、この移動支持体４に装着され入口部５ｉが作業本船Ｓの前方を向く土砂収集筒５と、この土砂収集筒５の入口部の左右に連設されて堆積土砂を均しながら該入口部５ｉにその左右から掻き集めて誘導案内する左右一対の排土板６，６とを備え、その両排土板６，６は、横長の長方形状をなして土砂収集筒５の入口部５ｉより斜め前方に平面視ハ字状に拡開するよう延びている。
【００２１】
前記移動支持体４は、短円筒状をなす土砂収集筒５の左右両外側壁よりそれぞれ延出して作業本船Ｓの左右方向に延びる水平な主枠４ｍと、同じく土砂収集筒５の左右両外側壁よりそれぞれ延出して作業本船Ｓの斜め前方に延びる水平な左右一対の枢軸部４ｐと、その各枢軸部４ｐの先部と主枠４ｍ間を一体に連結支持する連結枠部４ａとを備えた剛体枠より構成される。その各枢軸部４ｐには、対応する排土板６の背面部がそれぞれ回動可能に枢支、連結される。また各排土板６の背面部と主ワーク４ｍとの間には、位置調節手段としての油圧シリンダ７が介装されており、この油圧シリンダ７の伸縮作動により、各排土板６の前記枢軸部４ｐ回り回動位置を任意に可変調節可能となっている。なお、油圧シリンダ７を伸縮作動させるための油圧源を含む油圧回路（図示せず）は作業本船Ｓ上に設置されており、その油圧回路と油圧シリンダ７との間が図示しない油圧ホースで接続される。
【００２２】
前記土砂収集筒５の入口部は、該筒５の前端部に一体に連設されて該筒５の前端開口Ｏよりも多少大きめの略正方形状に形成された受け板５ｉより構成される。その受け板５ｉの左右両側面は、枢軸部４ｐの軸線と直交する平面状に形成されて左右の排土板６，６の基端面と摺動可能に面接触しており、しかもその面接触状態が排土板６，６の前記枢軸部４ｐ回り回動位置の如何に依らず常に維持されるように、受け板５ｉの左右両側面の前後幅が排土板６の板厚に対し十分大きく設定されている。
【００２３】
前記移動支持体４は、その両端部（即ち主枠４ｍの左右両端部）が、パイプ作業本船Ｓに基端部を上下揺動可能に軸支した揺動枠８の先端部に回動可能にピボット連結され、その揺動枠８の先部と、後述するスクリューコンベアＣとが、作業本船Ｓから別々の懸吊手段Ｗ１，Ｗ２で昇降可能に懸吊される
前記揺動枠８は、作業本船Ｓの第１凹部Ｓａの左右内側面に沿って昇降揺動可能な左右一対の揺動主枠部８ｍ，８ｍと、その両揺動主枠部８ｍ，８ｍの中間部相互を一体に連結する中間枠部８ａとを備えて梯子状に形成され、その両揺動主枠部８ｍ，８ｍの先端部間に移動支持体４の左右両端部がそれぞれ回動可能に連結される。また各揺動主枠部８ｍの先端部には、これを昇降駆動すべく作業本船Ｓ上に設置された懸吊手段としての第１ウインチ機構Ｗ１から繰り出されるウインチワイヤの自由端が結合される。
【００２４】
前記圧送手段Ｔは、作業本船Ｓにそれと一緒に前進し得るように支持されて土砂収集筒５の出口部５ｏに吸込部Ｃｉが接続されるスクリューコンベアＣと、このスクリューコンベアＣの吐出部Ｃｏと土運搬船Ｂの土砂収納凹部Ｂｂとの間を接続する可撓性のチューブ９とを備えている。前記土砂収集筒５と、スクリューコンベアＣとは、作業本船Ｓの前後方向に略沿って互いに縦列配置されており、その土砂収集筒５とスクリューコンベアＣとの間が、可撓性を有する材料（図示例では硬質ゴム）で形成された円筒状の接続スリーブＪを介して結合される。
【００２５】
前記スクリューコンベアＣは、円筒状のコンベアハウジングＣｍと、そのハウジングＣｍ内に回転自在に嵌合、支持されて該ハウジングＣｍ内を縦通するスクリュー状のロータＣａと、と、そのロータＣａの後端部に連動連結されて該ロータＣａを回転駆動し得るモータＭと、コンベアハウジングＣｍ及びモータＭを一体的に支持する支持板Ｃｂとを備えており、モータＭは、水中で使用できるように防水構造となっている。前記コンベアハウジングＣｍの後部には、これを昇降駆動すべく作業本船Ｓ上に設置された懸吊手段としての第２ウインチ機構Ｗ２から繰り出されるウインチワイヤの自由端が結合される。而して第１及び第２ウインチ機構Ｗ１，Ｗ２を駆動制御することで、揺動枠８従って土砂収集筒５と、スクリューコンベアＣ後部とを適宜昇降駆動することができ、これにより、前記した均し兼掻き集め装置Ａ（即ち土砂収集筒５、排土板６、接続スリーブＪ、スクリューコンベアＣ等）を所望の姿勢で所望のレベルの昇降させることができる。
【００２６】
またスクリューコンベアＣの吐出部Ｃｏは、左右に二又状に分岐しており、その左右の吐出部Ｃｏに左右一対のチューブ９がそれぞれ接続される。その左右のチューブ９の下流端（即ち作業本船Ｓ側の自由端）が、作業本船Ｓの後部の左右両側にそれぞれ設置された左右のクレーン１０により旋回可能に吊持されており、このクレーン１０により各チューブ９の下流端を適宜旋回移動させることにより、チューブ９からの排出土砂を土運搬船Ｂの土砂収納凹部Ｂｂ内に片寄りなく投入できるようになっている。
【００２７】
各チューブ９の上流端寄りの中間部（図示例ではスクリューコンベアＣの近く）には、チューブ９内に空気を吹込む空気吹込み手段１１が設けられる。この空気吹込み手段１１に加圧空気を供給する加圧空気源としてのエアポンプ１２は作業本船Ｓ上に設置されており、そのエアポンプ１２と空気吹込み手段１１との間がエアホース１３で接続される。
【００２８】
次に前記実施例の作用を説明する。浚渫作業に当たっては、作業本船Ｓを作業現場の真上の水面まで移動させる。そして、その作業本船Ｓ上の第１，第２ウインチ機構Ｗ１，Ｗ２により、揺動枠８を下方揺動させながら均し兼掻き集め装置Ａ（土砂収集筒５，排土板６）及び圧送手段ＴのスクリューコンベアＣを予め計画されている目標浚渫レベルまで降下させ、更にその作業本船Ｓの第１凹部Ｓａに土運搬船Ｂを進入、固定し、その土運搬船Ｂの土砂収納凹部Ｂｂ内に圧送手段Ｔの左右のチューブ９の下流端を臨ませる。またその作業本船Ｓの第２凹部Ｓｂに前後位置微調整用の補助タグボート１を進入、固定させ、さらに土運搬船Ｂの第３凹部Ｂａに主タグボート２を進入、固定させる。
【００２９】
この初期状態が図１，図２に対応するものであり、この状態より作業本船Ｓを補助タグボート１又は主タグボート２の推進力で少しずつ前進させると共に、スクリューコンベアＣを作動開始させると、その作業本船Ｓに追従して、水底の均し兼掻き集め装置Ａが少しずつ前進し、これにより、水底Ｌの堆積土砂に対する浚渫作業が始まる。
【００３０】
即ち、均し兼掻き集め装置Ａの所望の一定レベルでの前進移動によれば、この均し兼掻き集め装置Ａの左右の排土板６で、水底Ｌを一定レベルに均しつつ水底Ｌの堆積土砂が中央の土砂収集筒５内に比較的広範囲に亘りスムーズ且つ効率よく掻き集められ、この掻き集められた堆積土砂は、作業本船Ｓと一緒に水面を前進する土運搬船Ｂまで圧送手段Ｔ（スクリューコンベアＣ及びチューブ９）で連続的に圧送される。
【００３１】
従って、作業本船Ｓが所定量前進すれば、その前進量を縦片とし、均し兼掻き集め装置Ａの左右幅（左右の排土板６の自由端間の水平距離）を横辺とする水底Ｌの長方形エリアが平坦に浚渫される。次いで、第１，第２ウインチ機構Ｗ１，Ｗ２により均し兼掻き集め装置Ａを多少持ち上げつつ、補助タグボート１又は主タグボート２の推進力で作業本船Ｓを前記所定量だけ後退させる。さらにその作業本船Ｓをサイドスラスタ３の推進力で左右一方側に均し兼掻き集め装置Ａの左右幅分だけ左右移動させてから、作業本船Ｓを再び所定量前進させるようにして、隣接する次の長方形エリアの浚渫作業を行う。
【００３２】
このような作業を繰り返すことにより、水底Ｌの浚渫作業を前記長方形エリアを単位とした水底の堆積土砂に対する浚渫作業を順次に行うことができる。尚、浚渫作業時における作業本船Ｓの位置制御は、ＧＰＳ（人口衛星を利用した全地球測位システム）による計測位置に基づいて各タグボート１，２を操船し又はサイドクラスタ３を操作することで、精度よく的確に行うことができる。また、浚渫作業の進行により土運搬船Ｂが土砂で満杯になれば、これと新たな空の土運搬船Ｂとを入れ替えて、その新たな土運搬船Ｂに排出土砂を投入するようにし、満杯の土運搬船Ｂは、自力で、又は他のタグボート等に引かれて図示しない土砂処分場所まで移動する。
【００３３】
而して、上記のようにして実行される浚渫作業においては、作業本船Ｓの前進に応じて均し兼掻き集め装置Ａの左右一対の排土板６，６が、水底Ｌの堆積土砂を均しながら、中央の土砂収集筒５の入口部５ｉにその左右から効率よく掻き集められ、そこからスクリューコンベアＣで水面上の土運搬船Ｂまで連続的に圧送されるから、従来の浚渫で必要とした大型のポンプやグラブが不要となり、これらを駆動するための大型の動力源も不要となって設備コストや運転コストの節減が図られる。しかも浚渫後の水底面が略平坦に均されて、従来のような浚渫後の水底面の凹凸が殆ど無くなるため、浚渫を計画レベル通りに無駄なく行うことが可能となる。また浚渫に際して水底Ｌの堆積土砂が攪拌されることが極力回避できるため、浚渫作業時における周辺水域の土砂拡散、汚濁を効果的に抑えることができる。
【００３４】
また本実施例では、均し兼掻き集め装置Ａにおける左右一対の排土板６，６が、土砂収集筒５に該排土板６の長手方向に沿う水平軸線（枢軸部４ｐ）回りに回動可能に連結され、その各排土板６には、これの前記水平軸線回りの回動位置を可変調節可能な位置調節手段としての油圧シリンダが接続されている。このため、上記回動位置の調節により、水底Ｌの堆積土砂の硬度や密度に応じて各排土板６の堆積土砂に対する食い込み角度を任意に調整可能となり、これにより、各排土板６は、堆積土砂の硬度や密度に関係なく常に効率の高い最適の土砂掻き集め機能を発揮可能となる。
【００３５】
また本実施例では、浚渫土砂の圧送手段Ｔが、作業本船Ｓにそれと一緒に前進し得るように支持されて土砂収集筒５の出口部５ｏに吸込部Ｃｉが接続されるスクリューコンベアＣと、このスクリューコンベアＣの吐出部Ｃｏと土運搬船Ｂとの間を接続する可撓性のチューブ９とを備えることから、作業本船Ｓの推進力と左右の排土板６の案内誘導作用とで土砂収集筒５内に押し込まれた堆積土砂を、スクリューコンベアＣで水面上の土運搬船Ｂまで無理なく連続的に圧送可能となる。しかもこのチューブ９の下端近くの中間部内には空気吹込み手段１１で加圧空気が吹き込まれるため、その空気のチューブ内上昇流によりスクリューコンベアＣによる土砂圧送負荷が軽減され、圧送手段Ｔによる圧送性能向上が図られる。
【００３６】
さらに本実施例では、土砂収集筒５とスクリューコンベアＣとが、作業本船Ｓの前後方向に略沿って互いに縦列配置されると共に、その相互間が可撓性を有する接続スリーブＪを介して結合されており、このため、土砂収集筒５とスクリューコンベアＣとを相互に大きく屈曲させることなく滑らかに接続できてその間の流動抵抗軽減が図られ、しかも浚渫作業時に土砂収集筒５に作用する衝撃や振動がスクリューコンベアＣに直接伝達されるのを極力抑えてスクリューコンベアＣ各部の耐久性向上が図られる。
【００３７】
さらにまた本実施例では、均し兼掻き集め装置Ａの移動支持体４が、作業本船Ｓに基端部を上下揺動可能に軸支した梯子状の揺動枠８の先端部に回動可能にピボット連結され、その揺動枠８の先部とスクリューコンベアＣとが作業本船Ｓから別々のウインチ機構Ｗ１，Ｗ２で昇降可能に懸吊されるので、揺動枠８の揺動角度に関係なく移動支持体４（従って土砂収集筒５や左右の排土板６）を常に適正姿勢に保持することができ、しかもこの揺動枠８の先部とスクリューコンベアＣとを作業本船より別々に昇降位置調整できるようにしたことで、土砂収集筒５や左右の排土板６のレベル調整を無理なく的確に行うことができる。
【００３８】
以上、本発明の実施例を詳述したが、本発明はその要旨を逸脱しない範囲で種々の設計変更を行うことが可能である。
【００３９】
例えば、前記実施例では、作業本船Ｓを前後左右に任意に推進可能な推進手段を、補助タグボート１，主タグボート２、並びに左右のサイドスラスタ３で構成したものを示したが、本発明の推進手段としては、作業本船Ｓを前後左右の任意の位置まで推進可能とするものであればよく、実施例の構造に限定されない。例えば、前後のタグボート１，２を用いる代わりに、作業本船Ｓ自体に、これを前後方向に駆動し得る推進機やサイドクラスタを設けるようにしてもよい。或いは、作業本船Ｓから離れた位置で水底に固定した錨等の固定部に連なるワイヤを作業本船Ｓ上のウインチで巻き取る等して作業本船Ｓを任意の方向に移動させるようにしてもよい。
【図面の簡単な説明】
【００４０】
【図１】本発明の一実施例に係る浚渫作業本船の全体平面図
【図２】浚渫作業の概要を示す浚渫システムの全体縦断面図（図１の２矢視図）
【図３】図２の３矢視部拡大図
【図４】図３の４矢視部拡大平面図
【図５】図４の５−５線に沿う拡大断面図
【図６】均し兼掻き集め装置の要部拡大斜視図
【符号の説明】
【００４１】
Ａ・・・兼掻き集め装置
Ｂ・・・土運搬船（浚渫土砂貯溜手段）
Ｃ・・・スクリューコンベア
Ｃｉ・・吸込部
Ｃｏ・・吐出部
Ｊ・・・接続スリーブ
Ｌ・・・水底
Ｓ・・・作業本船
Ｔ・・・圧送手段
Ｗ１，Ｗ２・・第１，第２ウインチ機構（懸吊手段）
１・・・後進用タグボート（推進手段）
２・・・前進用タグボート（推進手段）
３・・・サイドスラスタ（推進手段）
４・・・移動支持体
５・・・土砂収集筒
５ｉ・・受け板（入口部）
５ｏ・・出口部
６・・・排土板
７・・・油圧シリンダ（位置調節手段）
８・・・揺動枠
９・・・チューブ
１１・・空気吹込み手段
【図１】
0004778743.tif 000002
【図２】
0004778743.tif 000003
【図３】
0004778743.tif 000004
【図４】
0004778743.tif 000005
【図５】
0004778743.tif 000006
【図６】
0004778743.tif 000007